【手続補正書】
【提出日】平成18年12月26日(2006.12.26)
【手続補正１】
【補正対象書類名】特許請求の範囲
【補正対象項目名】全文
【補正方法】変更
【補正の内容】
【特許請求の範囲】
【請求項１】
インク滴を吐出可能な複数の記録素子が配置される記録素子列を複数列備えた記録ヘッドを、記録媒体の同一領域に対して複数回走査させて記録を行うインクジェット記録装置であって、
前記同一領域を複数回の走査により記録を行うためのマスクパターンを前記記録素子列毎に適用するマスク制御手段を具備し、
前記マスクパターンは、Ａ）前記記録素子列に含まれる記録素子に対応した領域を分割した複数の分割領域より構成され、Ｂ）前記複数の分割領域のうち、前記記録素子列の端部に位置する記録素子に対応した分割領域の記録率が前記記録素子列の中央部に位置する記録素子に対応した分割領域の記録率よりも低く定められ、Ｃ）前記複数の分割領域に対応する記録率の分布が、前記複数の記録素子列のうちの第１記録素子列と第２記録素子列とで異なっていることを特徴とするインクジェット記録装置。
【請求項２】
前記マスクパターンは、前記記録素子列に予め対応付けられていることを特徴とする請求項１に記載のインクジェット記録装置。
【請求項３】
前記マスクパターンは、第１マスクパターンと、前記第１マスクパターンよりも前記記録素子列の端部に位置する記録素子に対応した分割領域の記録率が小さい第２マスクパターンとを含むことを特徴とする請求項２に記載のインクジェット記録装置。
【請求項４】
前記複数の記録素子列には、同色系で色材の濃度が異なる濃インク滴および淡インク滴を吐出する記録素子列が含まれ、
前記第１記録素子列は前記濃インク滴を吐出する記録素子列であって、前記第１記録素子列には前記第１マスクパターンが適用され、前記第２記録素子列は前記淡インク滴を吐出する記録素子列であって、前記第２記録素子列には前記第２マスクパターンが適用されることを特徴とする請求項３に記載のインクジェット記録装置。
【請求項５】
前記複数の記録素子列には、インク滴の量が異なる大インク滴及び小インク滴を吐出する記録素子列が含まれ、
前記第１記録素子列は前記大インク滴を吐出する記録素子列であって、前記第１記録素子列には前記第１マスクパターンが適用され、前記第２記録素子列は前記小インク滴を吐出する記録素子列であって、前記第２記録素子列には前記第２マスクパターンが適用されることを特徴とする請求項３に記載のインクジェット記録装置。
【請求項６】
前記記録素子列毎の記録デューティを検出する検出手段を具備し、
前記マスク制御手段は、前記検出手段により検出された記録デューティに応じて予め用意された記録率の分布の異なる複数のマスクパターンのうちの１つを選択することを特徴とする請求項１に記載のインクジェット記録装置。
【請求項７】
前記複数のマスクパターンは、第１マスクパターンと、前記第１マスクパターンよりも前記記録素子列の端部に位置する記録素子に対応した分割領域の記録率が小さい第２マスクパターンとを含むことを特徴とする請求項６に記載のインクジェット記録装置。
【請求項８】
前記マスク制御手段は、前記記録デューティが閾値を越えた前記記録素子列に前記第２マスクパターンを適用し、前記記録デューティが前記閾値を越えない前記記録素子列には前記第１マスクパターンを適用することを特徴とする請求項７に記載のインクジェット記録装置。
【請求項９】
インク滴を吐出可能な複数の記録素子が配置される記録素子列を複数列備えた記録ヘッドを、記録媒体の同一領域に対して複数回走査させて記録を行うインクジェット記録装置であって、
前記同一領域を複数回の走査により記録を行うためのマスクパターンを格納した格納手段と、
前記マスクパターンと前記記録素子列に対応したデータとを演算し、前記記録素子列毎に間引きデータを生成する生成手段と、
前記生成手段により生成された間引きデータに基づいて、前記記録ヘッドからインク滴を吐出させて記録を行う記録手段とを具備し、
前記マスクパターンは、Ａ）前記記録素子列に含まれる記録素子に対応した領域を分割した複数の分割領域より構成され、Ｂ）前記複数の分割領域のうち、前記記録素子列の端部に位置する記録素子に対応した分割領域の記録率が前記記録素子列の中央部に位置する記録素子に対応した分割領域の記録率よりも低く定められ、Ｃ）前記複数の分割領域に対応する記録率の分布が、前記複数の記録素子列のうちの第１記録素子列と第２記録素子列とで異なっていることを特徴とするインクジェット記録装置。
【請求項１０】
インク滴を吐出可能な複数の記録素子が配置される記録素子列を複数列備えた記録ヘッドを、記録媒体の同一領域に対して複数回走査させて記録を行うインクジェット記録方法であって、
前記同一領域を複数回の走査により記録を行うためのマスクパターンを前記記録素子列ごとに適用するマスク制御手段工程を有し、
前記マスクパターンは、Ａ）前記記録素子列に含まれる記録素子に対応した領域を分割した複数の分割領域より構成され、Ｂ）前記複数の分割領域のうち、前記記録素子列の端部に位置する記録素子に対応した分割領域の記録率が前記記録素子列の中央部に位置する記録素子に対応した分割領域の記録率よりも低く定められ、Ｃ）前記複数の分割領域に対応する記録率の分布が、前記複数の記録素子列のうちの第１記録素子列と第２記録素子列とで異なっていることを特徴とするインクジェット記録方法。
【請求項１１】
インク滴を吐出可能な複数の記録素子が配置される記録素子列を複数列備えた記録ヘッドを、記録媒体の同一領域に対して複数回走査させて記録を行うインクジェット記録方法であって、
前記同一領域を複数回の走査により記録を行うためのマスクパターンと前記記録素子列に対応したデータとを演算し、前記記録素子列毎に間引きデータを生成する生成工程と、
前記生成工程により生成された間引きデータに基づいて、前記記録ヘッドからインク滴を吐出させて記録を行う記録工程とを有し、
前記マスクパターンは、Ａ）前記記録素子列に含まれる記録素子に対応した領域を分割した複数の分割領域より構成され、Ｂ）前記複数の分割領域のうち、前記記録素子列の端部に位置する記録素子に対応した分割領域の記録率が前記記録素子列の中央部に位置する記録素子に対応した分割領域の記録率よりも低く定められ、Ｃ）前記複数の分割領域に対応する記録率の分布が、前記複数の記録素子列のうちの第１記録素子列と第２記録素子列とで異なっていることを特徴とするインクジェット記録方法。
【手続補正２】
【補正対象書類名】明細書
【補正対象項目名】００２７
【補正方法】変更
【補正の内容】
【００２７】
そのために本発明では、インク滴を吐出可能な複数の記録素子が配置される記録素子列を複数列備えた記録ヘッドを、記録媒体の同一領域に対して複数回走査させて記録を行うインクジェット記録装置であって、
前記同一領域を複数回の走査により記録を行うためのマスクパターンを前記記録素子列毎に適用するマスク制御手段を具備し、
前記マスクパターンは、Ａ）前記記録素子列に含まれる記録素子に対応した領域を分割した複数の分割領域より構成され、Ｂ）前記複数の分割領域のうち、前記記録素子列の端部に位置する記録素子に対応した分割領域の記録率が前記記録素子列の中央部に位置する記録素子に対応した分割領域の記録率よりも低く定められ、Ｃ）前記複数の分割領域に対応する記録率の分布が、前記複数の記録素子列のうちの第１記録素子列と第２記録素子列とで異なっていることを特徴とする。
【手続補正３】
【補正対象書類名】明細書
【補正対象項目名】００２８
【補正方法】変更
【補正の内容】
【００２８】
また、インク滴を吐出可能な複数の記録素子が配置される記録素子列を複数列備えた記録ヘッドを、記録媒体の同一領域に対して複数回走査させて記録を行うインクジェット記録装置であって、前記同一領域を複数回の走査により記録を行うためのマスクパターンを格納した格納手段と、前記マスクパターンと前記記録素子列に対応したデータとを演算し、前記記録素子列毎に間引きデータを生成する生成手段と、前記生成手段により生成された間引きデータに基づいて、前記記録ヘッドからインク滴を吐出させて記録を行う記録手段とを具備し、前記マスクパターンは、Ａ）前記記録素子列に含まれる記録素子に対応した領域を分割した複数の分割領域より構成され、Ｂ）前記複数の分割領域のうち、前記記録素子列の端部に位置する記録素子に対応した分割領域の記録率が前記記録素子列の中央部に位置する記録素子に対応した分割領域の記録率よりも低く定められ、Ｃ）前記複数の分割領域に対応する記録率の分布が、前記複数の記録素子列のうちの第１記録素子列と第２記録素子列とで異なっていることを特徴とする。
更に、インク滴を吐出可能な複数の記録素子が配置される記録素子列を複数列備えた記録ヘッドを、記録媒体の同一領域に対して複数回走査させて記録を行うインクジェット記録方法であって、前記同一領域を複数回の走査により記録を行うためのマスクパターンを前記記録素子列ごとに適用するマスク制御手段工程を有し、前記マスクパターンは、Ａ）前記記録素子列に含まれる記録素子に対応した領域を分割した複数の分割領域より構成され、Ｂ）前記複数の分割領域のうち、前記記録素子列の端部に位置する記録素子に対応した分割領域の記録率が前記記録素子列の中央部に位置する記録素子に対応した分割領域の記録率よりも低く定められ、Ｃ）前記複数の分割領域に対応する記録率の分布が、前記複数の記録素子列のうちの第１記録素子列と第２記録素子列とで異なっていることを特徴とする。
更にまた、インク滴を吐出可能な複数の記録素子が配置される記録素子列を複数列備えた記録ヘッドを、記録媒体の同一領域に対して複数回走査させて記録を行うインクジェット記録方法であって、前記同一領域を複数回の走査により記録を行うためのマスクパターンと前記記録素子列に対応したデータとを演算し、前記記録素子列毎に間引きデータを生成する生成工程と、前記生成工程により生成された間引きデータに基づいて、前記記録ヘッドからインク滴を吐出させて記録を行う記録工程とを有し、前記マスクパターンは、Ａ）前記記録素子列に含まれる記録素子に対応した領域を分割した複数の分割領域より構成され、Ｂ）前記複数の分割領域のうち、前記記録素子列の端部に位置する記録素子に対応した分割領域の記録率が前記記録素子列の中央部に位置する記録素子に対応した分割領域の記録率よりも低く定められ、Ｃ）前記複数の分割領域に対応する記録率の分布が、前記複数の記録素子列のうちの第１記録素子列と第２記録素子列とで異なっていることを特徴とする。